(57)【特許請求の範囲】
【請求項１】
ホームシステム内の一つ以上のモバイル機器に関する記録を格納するように構成されたホームロケーションレジスタと、
訪問先システムにおいて現在登録されている一つ以上のモバイル機器に関する記録を格納するように構成された、前記訪問先システム内に設けられた訪問先ロケーションレジスタとを備え、
前記訪問先システムは、前記訪問先システム内のモバイル機器によって前回アクセスした技術を識別して、前記ホームロケーションレジスタに対して、前記前回アクセスした技術の識別を送信するように構成されており、前記前回アクセスした技術は、前記訪問先システムによりサポートされる少なくとも２つの異なるアクセス技術のうちの１つであることを特徴とする装置。
【請求項２】
前記前回アクセスした技術の前記識別が、前記ホームロケーションレジスタに対して、登録通知中で送信されることを特徴とする請求項１の装置。
【請求項３】
前記ホームロケーションレジスタは前記前回アクセスした技術の識別を示す、前記モバイル機器に関する記録を更新することを特徴とする請求項２の装置。
【請求項４】
前記ホームシステムが、前記前回アクセスした技術の前記識別を有する経路指定要求を前記訪問先システムに送信するように構成されていることを特徴とする請求項１の装置。
【請求項５】
前記経路指定要求は、標準ＡＮＳＩ−４１に従うことを特徴とする請求項４の装置。
【請求項６】
前記経路指定要求は、前記前回アクセスした技術の前記識別に加え、モバイルプロトコル性能指標を含むことを特徴とする請求項４の装置。
【請求項７】
前記ホームシステムが、モバイルプロトコル性能指標を含む経路指定要求を前記訪問システムへ送信するよう配置され構成されていることを特徴とする請求項１の装置。
【請求項８】
前記２つの異なるアクセス技術が、符号分割多元アクセス（ＣＤＭＡ）、時分割多元アクセス（ＴＤＭＡ）、ユニバーサルモバイル電気通信システム（ＵＭＴＳ）、モバイル通信用のグローバルシステム（ＧＳＭ）、アナログ、及び個人通信サービス（ＰＳＣ）からなる群から選択されることを特徴とする請求項１の装置。
【発明の詳細な説明】
【技術分野】
【０００１】
本発明は、通信システムに関し、特に、無線通信システムにおいてアクセス技術を識別するための技術に関する。
【背景技術】
【０００２】
比較的低い周波数を用いて多数のモバイル加入者に対する無線電話サービスを提供するための、多様な種類のセルラー通信システムが知られている。そのようなサービスは、一つのサービスエリアを多数のセルに分割し、隣接しないセル内の周波数を再利用することによって提供される。このセルラー原理は、割り当てられた無線スペクトル上で伝搬される無線通信の量を著しく増大させ、その結果、無線通信加入者の数を格段に増大させた。
【０００３】
セルラーシステムは、通信アクセス用の多くの異なる技術を使用する。セルラーシステムの最も古いタイプは、アナログシステムである。別のセルラーシステムとしては、「電気通信産業協会仮標準（ＴＩＡ）ＩＳ−１３６」等の、時分割多重アクセス（ＴＤＭＡ）技術に基づくディジタルシステムがある。また別のセルラーシステムとしては、コード分割多重アクセス（ＣＤＭＡ）技術を使用し、「ＴＩＡ  ＩＳ−９５」で定義されたシステムがある。さらに別のセルラーシステムとしては、ＴＤＭＡ技術と周波数分割多重アクセス（ＦＤＭＡ）とを組み合わせたシステムが、モバイル通信用のグローバルシステム（ＧＳＭ）として周知である。このＧＳＭは、欧州郵便電気通信会議（ＣＥＰＴ）の特別モバイル部会とその継承者である欧州電気通信標準協会（ＥＳＴＩ）によって発展してきたものである。
【０００４】
モバイル機器が、そのホームシステムではないシステム中で移動する場合に、そのモバイル機器は、そのシステムが提供し、そのモバイル機器が通信可能なあらゆる技術にアクセス可能である。モバイル機器に対する呼がホームシステムに経路指定された場合に、そのモバイル機器が訪問先システムにアクセスするために現在使用している技術がわからないと、その訪問先システムは、そのモバイル機器を発見するためのページングを、システム内のすべての技術に対して行うことになる。このようなプロセスは、非常に非効率的な資源利用であり、多様なシステム用の送信制御チャネル上での集中を引き起こす。
【発明の開示】
【発明が解決しようとする課題】
【０００５】
したがって、本発明の目的は、各技術用の送信制御チャネル上の帯域幅を浪費することなしに、多重技術環境中のモバイル機器を効率よく発見することのできる方法を提供することである。
【課題を解決するための手段】
【０００６】
訪問先システムは、ホームロケーションレジスタを備えたホームシステムと関連付けられたモバイル機器用のアクセス技術を通じてその訪問先システムにアクセスする登録要求を受信する。そのアクセス技術の識別を含む登録通知が、ホームロケーションレジスタに送信される。
【発明を実施するための最良の形態】
【０００７】
以下には、各技術用の送信制御チャネル上の帯域幅を浪費することなしに多重技術環境中のモバイル機器を発見するための方法に使用される装置について説明する。モバイル機器が、訪問先システム内に位置していて、異なる技術にアクセスしている場合に、その訪問先システムは、そのモバイル機器が前回アクセスした技術（ＬＡＴ）を、そのモバイル機器のホームシステムに送信する。そのモバイル機器に対する呼がホームシステムにおいて受信された場合に、ホームシステムは、そのＬＡＴを、そのモバイル機器が前回位置していることが確認された訪問先システムに送信する。その訪問先システムは、そのＬＡＴでそのモバイル機器をページングして、そのモバイル機器が応答した場合には、その呼は、そのアクセス技術と一致するフォーマットでそのモバイル機器に送信される。前回アクセスした技術のみでページングすることによって、他の技術の送信制御チャネル上の帯域幅を節約することができる。
【０００８】
本発明の装置は、ホームシステム内の一つ以上のモバイル機器に関するレコード（記録）を格納するために設けられたホームロケーションレジスタを備えている。訪問先ロケーションレジスタは、訪問先システム内において現在登録されている一つ以上のモバイル機器に関するレコードを格納するために訪問先システム内に設けられる。訪問先システムは、この訪問先システム内のモバイル機器によって前回アクセスされた技術を識別し、その前回アクセスされた技術の識別をホームロケーションレジスタに送信するように構成されている。前回アクセスされた技術の識別は、登録通知において、ホームロケーションレジスタに送信される。ホームシステムは、前回アクセスされた技術の識別を含む経路指定要求を訪問先システムに送信するように構成される。
【０００９】
図１は、無線通信システムを示すブロック図である。複数の地理的カバレッジエリア１０１は、セルサイトによってそれぞれ支えられている。各セルサイトは、一つ以上のベース局１０３、１０５を含み、そのセルサイトに対して定義されたカバレッジエリア内に位置するモバイル加入者（モバイル機器）１０７、１０９に対する通信を提供する。ベース局１０３、１０５は、双方向トランク、音声無線リンク、および制御無線リンクを通じて、モバイル交換センタ（ＭＳＣ）１１１に接続される。一つのベース局１０３のみがディジタル交換機１１３に接続されているように図示されているが、実際には、システム内のすべてのベース局がディジタル交換機１１３に接続されている。図面を簡略化するために、２つのベース局が示されているが、実際には、多数のベース局がシステム内において各セルサイトを提供している。また、実際には、システムによって多くの加入者にサービスが提供されるが、商業的に利用可能な２人のモバイル加入者のみが図示されている。この例において、ディジタル交換機１１３は、公衆交換電話ネットワーク（ＰＳＴＮ）１１５に接続されている。ＰＳＴＮ１１５によってサービス提供される電話１１７が示されている。
【００１０】
好ましい形態において、ＭＳＣ１１１は、ルーセントテクノロジー株式会社が製造販売しているＡＵＴＯＰＬＥＸ（登録商標）１０００システムである。しかし、当業者であれば、他のモバイル交換センターの使用を容易に想定可能である。ＭＳＣ１１１は、無線通信サービスを管理し、加入者データを格納するための複数のプロセッサと、複数の相互接続ノードとを備えている。ディジタル交換機１１３は、交換ノード１１９を通じてＭＳＣ１１１に相互接続されている。この形態において、セルサイトノード１２１は、一つのベース局１０３とそれに関連付けられたサイトにサービス提供し、別のセルサイトノード１２３は、別のベース局１０５とそれに関連付けられたサイトにサービス提供する。交換ノード１１９は、ＭＳＣ１１１とディジタル交換機１１３との間のインタフェースである。
【００１１】
プロセッサノード１２５は、呼プロセッサ１２７に接続されており、呼プロセッサ１２７は、中央処理装置（ＣＰＵ）とデータベースを含む。データベースは、プロセッサノード１２５によってサービス提供されるセルサイトに関連する認証アルゴリズム、制御情報、およびその他の情報を含む情報を格納する。別のプロセッサノード１２９は、管理プロセッサ１３１に接続されており、管理プロセッサ１３１は、この分野で知られているようなメンテナンス機能や他の管理タスクをＭＳＣ１１１に対して実行する。第３のプロセッサノード１３３は、呼プロセッサ１３５に接続されており、この呼プロセッサ１３５もまた、ＣＰＵとデータベースを含む。データベースはまた、第３のプロセッサノード１３３によってサービス提供されるセルサイトに関連する認証アルゴリズム、制御情報、およびその他の情報を含む情報を格納する。
【００１２】
通常の動作の間、呼プロセッサ１２７、１３５は、カバレッジエリア１０１内に位置するモバイル加入者１０７、１０９からの登録要求（アクセス要求）を受信する。これらの登録要求は、加入者が呼を発した場合に生じる発呼要求の形で、加入者が呼を受信した場合の着信要求の形で、あるいは、加入者が単純にモバイル端末をオンにした場合に生じる自動登録の形で行われる。呼プロセッサは、この分野で周知の手順に従って、アクセスを要求している各モバイル端末の認証を決定し、音声チャネルを確立し、モバイル端末用の呼接続あるいはチャネルを制御する。
【００１３】
図２は、通信システム間の登録に関連する通信を示すブロック図である。ホームシステム２０１は、図１に示すシステムと類似したインフラ構造を含んでおり、ＰＳＴＮ１２３に接続されている。このホームシステム２０１は、ホームロケーションレジスタ（ＨＬＲ）２０３を含んでおり、このＨＬＲ２０３は、周知のように、このシステムをホームシステムとして利用するモバイル加入者について、アクセス権、識別、請求書情報、呼の特徴、ＬＡＥＳ（適法に認可された電子サーベイランス）情報、呼送信番号、およびその他の情報を含む機器プロファイル等の情報、を格納する。このＨＬＲ２０３は、図１の管理プロセッサ１３１内に設置されている。ホームシステム２０１は、この例においては、ベース局２０５、２０７、２０９を通じて、ＣＤＭＡ（コード分割多重アクセス）通信、アナログ通信、およびＴＤＭＡ（時分割多重アクセス）通信、を支援する。ベース局２０５、２０７、２０９は、それぞれ、それらの通信アクセス技術に対するサービスを提供する。ＰＣＳ（個人通信サービス）、ＵＭＴＳ（ユニバーサルモバイル電気通信システム）、ＧＳＭ（モバイル通信用のグローバルシステム）、等の他のタイプのアクセス技術もまた、このシステムにおいて支援される。各カバレッジエリア内では、一種類のアクセス技術のみが示されているが、一つのカバレッジエリアに対して２種類以上のアクセス技術によるサービスを提供してもよい。
【００１４】
訪問先システム２１１は、図１に示すシステムと類似したインフラ構造を含んでおり、ＰＳＴＮ２２３に接続されている。この訪問先システム２１１は、訪問先ロケーションレジスタ（ＶＬＲ）２１３を含んでおり、このＶＬＲ２１３は、周知のように、このシステム２１１内に現在登録されているモバイル加入者に関する情報として、アクセス権、識別、請求書情報、呼の特徴、ＬＡＥＳ情報、およびその他の情報を含む機器プロファイル等の情報、を格納する。ＶＬＲ２１３は、図１の管理プロセッサ１３１内に設置されており、その情報のコピーをまた、プロセッサノード１２５、１２９、１３３内に保持させてもよい。訪問先システム２１１は、この例においては、ベース局２１５、２１７、２１９を通じて、ＣＤＭＡ通信、アナログ通信、およびＧＳＭ（モバイル通信用のグローバルシステム）通信、を支援する。ベース局２１５、２１７、２１９は、それぞれ、それらの通信アクセス技術に対するサービスを提供する。ＰＣＳ（個人通信サービス）、ＵＭＴＳ（ユニバーサルモバイル電気通信システム）、およびＴＤＭＡ、等の他のタイプのアクセス技術もまた、このシステムにおいて支援される。各カバレッジエリア内では、一種類のアクセス技術のみが示されているが、一つのカバレッジエリアに対して２種類以上のアクセス技術によるサービスを提供してもよい。
【００１５】
識別Ｍ１を持つモバイル機器２２１は、そのホームシステム２０１から訪問先システム２１１内に移動すると、訪問先システム２１１に対して登録要求を送信する。モバイル機器２１１は、ＣＤＭＡ、アナログ、およびＴＤＭＡ技術を通じて通信アクセスを行なうことができる。この例において、モバイル機器２２１は、ＣＤＭＡベース局２１５によってカバーされるエリア内に移動して、システム２１１によって登録される。訪問先システム２１１は、登録通知（ＲＥＧＮＯＴ）をホームシステム２０１に送信する。登録通知（ＲＥＧＮＯＴ）は、モバイル機器が前回アクセスした技術（ＬＡＴ）、例えば、この例ではＣＤＭＡ、を含む。ホームシステム２０１は、登録通知（ＲＥＧＮＯＴ）を受信すると、モバイル機器２２１に関する新しいＬＡＴでＨＬＲ２０３を更新し、モバイル機器２２１のプロファイルを訪問先システム２１１に送信する。訪問先システム２１１は、モバイル機器２２１に関する情報として、ＬＡＴを含むプロファイルをＶＬＲ２１３に格納する。システム間では、「ＣＳＳ７通信ライン」または「Ｘ．２５通信ライン」を通じてメッセージが転送される。「ＡＮＳＩ−４１ネットワーク」におけるメッセージには、「ＡＮＴＩ  ＴＣＡＰ（トランザクション性能アプリケーションパート）プロトコル」を利用する。
【００１６】
ＬＡＴ用のフォーマットの一例を表１に示す。ＬＡＴは、登録通知、経路指定要求、およびロケーション指定要求と呼ばれる「ＡＮＳＩ−４１（アメリカ国内標準協会）メッセージ」等のメッセージのオプション部分に組み込まれる。ＬＡＴ値は、例えば、０＝不明、１＝アナログ、２＝ＴＤＭＡ、３＝ＣＤＭＡ、４＝ＰＣＳ、５＝ＧＳＭ、６＝ＵＭＴＳ、とする。
【００１７】
（表１）
トランザクションＩＤ    順番（ＡＮＳＩ−４１による指定）
サイズ                  変数（初めは８個）
値                      ０  不明
１  アナログ
２  ＴＤＭＡ
３  ＣＤＭＡ
４  ＰＣＳ
５  ＧＳＭ
６  ＵＭＴＳ
７  将来用の予備
・・・  ・・・
２５５  将来用の予備
【００１８】
モバイル機器２２１が前回提携したベース局２１５と異なるアクセス技術を提供するベース局２１７または２１９と提携する場合に、訪問先システム２１１は、そのモバイル機器２２１に関するＬＡＴに新しいアクセス技術を格納し、ホームシステム２０１に対して登録通知を送信する。好ましい形態において、この登録通知は、登録通知に応答するプロファイル情報を返信しないようにさせる要求を含む。これにより、システム２０１、２１１間における通信チャネルの帯域幅と時間を節約できる。ホームシステム２０１は、モバイル機器２２１に関する新しいＬＡＴによってＨＬＲ２０３を更新する。
【００１９】
ＨＬＲ２０３にモバイル機器２２１に関するＬＡＴデータを格納することによって、ホームシステム２０１は、加入者２２１に対する通信を迅速かつ簡潔に送信することができる。ホームシステム２０１において、モバイル機器２２１に対する着信呼を受信した場合に、ホームシステム２０１は、その前回アクセスした技術と一致するフォーマットで訪問先システム２１１にその呼を送信する。訪問先システムは、例えば、ＣＤＭＡ等の前回アクセスした技術を用いてそのモバイル機器のページングを行い、それにより、アナログ、ＴＤＭＡ、およびＰＣＳ、等の他の技術を用いたページングを行なわないことでシステム内の資源を節約することができる。好ましい形態において、例えば、ページングＭＳＣでは、ＶＬＲが存在する場合にはＶＬＲからのＬＡＴとＭＰＣＩが利用され、そうでない場合には、ＬＡＴとＭＰＣＩは、ホームシステムからのメッセージから得られる。帯域幅の節約は、特に、送信制御チャネルが混雑しやすいアナログシステムにおいて有利である。
【００２０】
図３は、呼のシステム間通信を示すブロック図である。この例において、着信呼、ショートメッセージサービス配信、メッセージ待ち通知あるいはボイスメール用の指標、等のモバイル機器２２１宛の呼は、ＰＳＴＮ２２３によってホームシステム２０１、例えばホーム／ホストＭＳＣに送信され、そこで受信される。ホームシステム２０１は、そのＨＬＲ２０３において、モバイル機器２２１の現在ロケーションと前回アクセスした技術を探す。単純な例として、ホームシステム２０１からのモバイル機器２２１が、訪問先システム２１１内でＣＤＭＡ技術のサービス提供を行なうベース局２１５において現在登録され、位置している場合に、ホームシステム２０１は、ＬＡＴを含む経路指定要求（ＲＯＵＴＥＲＥＱ）を訪問先システム２１１に送信する。経路指定要求としては、ＡＮＳＩ−４１等に従い、付加的にＬＡＴフィールドを持つような、各種の経路指定要求が適用可能である。訪問先システム２１１は、ホームシステム２０１に対して一時的なローカルディレクトリ番号（ＴＬＤＮ）または経路指定番号を含む経路指定要求を送信する。ホームシステム２０１は、そのＴＬＤＮを用いて、そのＰＳＴＮ１２３からの呼を訪問先システム２１１を通じてそのモバイル機器２２１に送信する。モバイル機器２２１に対するその呼は、そのＬＡＴと一致するフォーマットでそのモバイル機器２２１に対して経路指定される。モバイル機器が発見できない場合には、訪問先システム２１１は、モバイル機器２２１の応答不能をホームシステム２０１に通知する。
【００２１】
多くのシステムにおいて、モバイル機器が、ＶＬＲレコードの設定によって開始する所定の時間の間動作を停止した後、あるいは中断した後に、そのモバイル機器のＶＬＲは削除される。ＶＬＲが削除されると、モバイル機器は、そのシステムのカバレッジエリア内に止まっているか、あるいは、他のシステム内に移動する。例えば、ホームシステム２０１内にモバイル機器２２１に対する着信呼が入来した場合に、そのモバイル機器用のＶＬＲ２１３が削除されていても、ホームシステム２０１は、ＬＡＴを含む経路指定要求（ＲＯＵＴＥＲＥＱ）を訪問先システム２１１に送信する。訪問先システム２１１は、その呼の存続時間の間、呼レジスタに、モバイル機器２２１用のＬＡＴを格納し、そのＬＡＴを用いてモバイル機器２２１をページングする。システムによって提供される全ての技術ではなく、前回アクセスした技術（ＬＡＴ）のみでページングを行なうことによって、ＬＡＴ以外の技術における帯域幅を節約できる。経路指定要求（ＲＯＵＴＥＲＥＱ）は、一般的には２ページのシナリオであり、第１ページは、モバイル機器の現在ロケーションを取得するために、また、ＴＬＤＮを要求して呼を経路指定するために、使用される。ＴＬＤＮが一旦返信されると、モバイル機器は、ＬＡＴ／ＭＰＣＩを用いて再びページングされ、呼の配信が行なわれる。モバイル機器２２１が発見されると、モバイル機器２２１に対する呼は、ＬＡＴに一致するフォーマットでモバイル機器２２１に経路指定される。
【００２２】
ＬＡＴでのページングによって応答を受信できない場合には、別の技術によってモバイルを検索するためのページングが行なわれる。別の技術でモバイル機器２２１が発見された場合には、モバイル機器２２１に対する呼は、モバイル機器２２１が発見された技術と一致するフォーマットでモバイル機器２２１に経路指定される。モバイル機器２２１が発見された場合には、ＬＡＴを含むＶＬＲが生成される。
【００２３】
各種の環境の下で、前回確認したロケーションでのＶＬＲに対するページングは、ホームシステム２０１であるか訪問先システム２１１であるかに関わらず、モバイル機器２２１を発見できない場合がある。このような環境は、例えば、（ａ）モバイル機器が移動しているにも関わらず、登録されていない場合、（ｂ）ネットワークが混雑していて、登録通知（または自律登録）が過負荷の間に中断した場合、（ｃ）ＶＬＲが中断したにも関わらず、モバイル機器が自律的に再登録されることもなく、また、発信または着信を通じて呼にアクセスされることもない場合、（ｄ）モバイル機器が、自律登録不可能なエリアに移動した場合またはその特徴が活性化されない場合、（ｅ）モバイル機器が、２以上のシステムをサービス提供する２以上のセルの境界上にあって、そのシステム間を行ったり来たりしており、経路指定要求（ＲＯＵＴＥＲＥＱ）が送出された場合に、前回ロケーションのスナップショットが正しくない場合（例えば、ＣＤＭＡシステムにおいて見られるように）、等を含む。この状況において、ホームシステム２０１は、近傍システム３０１内でモバイル機器２２１の発見に努める。近傍システム３０１は、一般的に、ホームシステム２０１の地理的近傍に位置するシステムであるが、この近傍システム３０１は、ＶＬＲ３０３を備えており、多数のベース局３０５、３０７、３０９、３１１を通じて、ＣＤＭＡ通信、アナログ通信、ＴＤＭＡ通信、ＰＣＳ通信をそれぞれ支援する。これらの環境の下で、ホームシステム２０１は、ＬＡＴを含む経路指定要求を送信して、モバイル機器２２１のページングを行なう。近傍システム３０１は、ＬＡＴに従ってモバイル機器２２１のページングを行ない、モバイル機器２２１用のＶＬＲ３０３内にそのＬＡＴを随意に格納する。
【００２４】
別の形態において、ホームシステム２０１は、近傍システム３０１に対し、ＬＡＴに加えてあるいはその代わりに、モバイル機器２２１用のモバイルプロトコル性能指標（ＭＰＣＩ）を送信する。そのＭＰＣＩは、モバイル機器２２１が通信可能な技術のリストを含む。近傍システム３０１が、ＬＡＴに従うページングによってモバイル機器２２１に到達できなかった場合には、近傍システム３０１は、モバイル機器２２１のＭＰＣＩにおける他の技術に従って、モバイル機器２２１のページングを試みる。近傍システム３０１は、モバイル機器２２１が使用できない技術については、モバイル機器２２１のページングを行なわないことによって、帯域幅を節約できる。モバイル機器２２１が発見された場合には、その呼は、そのアクセス技術と一致するフォーマットでそのモバイル機器２２１に対して経路指定される。
【００２５】
本発明を利用するシステム２０１、２１１、３０１が、ＡＮＳＩに従うシステムでない場合には、ＬＡＴは、それらのシステムに適合するタイプのメッセージに組み込まれる。例えば、ＧＳＭシステムにおける更新ロケーションメッセージは、ＡＮＳＩシステムにおける登録通知メッセージに類似している。ＧＳＭシステムにおける移動番号メッセージは、ＡＮＳＩシステムにおける経路指定要求メッセージに類似している。ＧＳＭシステムにおける経路指定情報メッセージは、ＡＮＳＩシステムにおけるロケーション要求メッセージに類似している。システムがＬＡＴ技術を支援しない場合には、ＭＳＣは、例えば、ＨＬＲによって送信される際のＬＡＴを無視する。
【００２６】
本発明によれば、システム中の限定された資源をより効率よく使用可能なサービスプロバイダを提供できる。本発明によれば、存在するシステムのハードウェアの拡張や変更を行なう必要なしに、ソフトウェアの変更によってそれらのシステムに対して帯域幅を回復させることが可能なサービスプロバイダを提供できるという効果がある。また、本発明によれば、存在するモバイル機器がサービスの低下を被ることなしに、現在のモバイル機器に対して最新かつ最上級のモバイル機器と同様な利点を与えることができる。
【００２７】
本発明は、その本質的な特徴から離れることなしに、他の特定の形態で実施可能である。前記の形態は、単なる例示として考慮されるべきであり、本発明を何ら限定するものではない。本発明の範囲は、前記の説明ではなく、特許請求の範囲の記載によって明らかである。各請求項に等価な範囲内での全ての変更は、本発明の範囲に包含される。
【００２８】
特許請求の範囲の発明の要件の後に括弧で記載した番号がある場合は、本発明の一実施例の対応関係を示すものであって、本発明の範囲を限定するものと解釈すべきではない。
【図面の簡単な説明】
【００２９】
【図１】本発明による無線通信システムを示すブロック図
【図２】本発明による通信システム間の登録関連通信を示すブロック図
【図３】本発明による呼用のシステム間通信を示すブロック図
【符号の説明】
【００３０】
１０１  地理的カバレッジエリア
１０３、１０５  ベース局
１０７、１０９  モバイル機器（モバイル加入者）
１１１  モバイル交換センタ（ＭＳＣ）
１１３  ディジタル交換機
１１５  公衆交換電話ネットワーク（ＰＳＴＮ）
１１７  電話
１１９  交換ノード
１２１、１２３  セルサイトノード
１２５、１２９、１３３  プロセッサノード
１２７、１３５  呼プロセッサ
１３１  管理プロセッサ
２０１  ホームシステム
２０３  ホームロケーションレジスタ（ＨＬＲ）
２０５、２１５、３０５  ＣＤＭＡベース局
２０７、２１７、３０７  アナログベース局
２０９、３０９  ＴＤＭＡベース局
２１１  訪問先システム
２１３  訪問先ロケーションレジスタ（ＶＬＲ）
２１９  ＧＳＭベース局
２２１  モバイル機器
２２３  ＰＳＴＮ
３０１  近傍システム
３０３  訪問先ロケーションレジスタ（ＶＬＲ）
３０１  近傍システム
３１１  ＰＣＳベース局
【図１】
0004514775.tif 000002
【図２】
0004514775.tif 000003
【図３】
0004514775.tif 000004